(57)【要約】【課題】位置情報を容易に登録する。【解決手段】本発明は、予め設定された所定のホームページの最新の更新内容を紹介する紹介ＲＳＳを一覧表示するためのオススメＲＳＳ一覧情報が与えられたときに、このオススメＲＳＳ一覧情報を取得し、取得したオススメＲＳＳ一覧情報を既存の表示内容に加えることにより生成したメニュー画面をＬＣＤに表示して、このメニュー画面の中から、ユーザの操作に応じて任意の紹介ＲＳＳを選択し、この紹介ＲＳＳのｇｅｏに応じた新規ＰＯＩを不揮発性メモリ２１に登録するようにしたことにより、ＬＣＤに表示されたメニュー画面から紹介ＲＳＳをユーザの操作に応じて選択するだけで、所望の新規ＰＯＩを登録することができ、かくして、位置情報を容易に登録し得る。【選択図】図９
2008281445.tif 000002
【特許請求の範囲】
【請求項１】
予め設定された所定のホームページにおける最新の更新内容を紹介する更新内容紹介情報を一覧表示するための更新内容一覧データが外部から与えられたときに、当該更新内容一覧データを取得する取得手段と、
上記更新内容一覧データを既存の表示内容に加えることにより更新した更新内容画面を生成して表示手段に表示する更新内容画面生成手段と、
上記更新内容画面の中から、ユーザによって選択された任意の上記更新内容紹介情報を選択対象として決定する選択手段と、
上記選択手段により上記選択対象が選択されたとき、当該選択対象の上記更新内容紹介情報に対応する位置情報を所定の記憶手段に登録する位置登録手段と
を具えることを特徴とするナビゲーション装置。
【請求項２】
上記更新内容画面生成手段は、
上記位置登録手段により上記位置情報が上記記憶手段に登録されると、当該位置情報に対応するランドマークを上記表示手段に表示する
ことを特徴とする請求項１に記載のナビゲーション装置。
【請求項３】
上記表示手段は、
タッチパネル付モニターであり、
上記選択手段は、
上記タッチパネル付モニターがユーザにタッチ操作されたことに応じて、当該タッチパネル付モニターに表示されている上記更新内容画面の中から選択された上記選択対象を決定する
ことを特徴とする請求項１に記載のナビゲーション装置。
【請求項４】
上記更新内容一覧データは、
ＸＭＬ（Extensible Markup Language）形式で記述されたＲＳＳ（Rich Site Summary）である
ことを特徴とする請求項１に記載のナビゲーション装置。
【請求項５】
上記位置登録手段は、
上記選択手段により決定された上記選択対象の上記更新内容紹介情報に含まれた緯度経度に応じて上記位置情報を生成して上記記憶手段に登録する
ことを特徴とする請求項１に記載のナビゲーション装置。
【請求項６】
上記位置情報は、ＰＯＩ（Point of Interest）である
ことを特徴とする請求項１に記載のナビゲーション装置。
【請求項７】
予め設定された所定のホームページにおける最新の更新内容を紹介する更新内容紹介情報を一覧表示するための更新内容一覧データが外部から与えられたときに、当該更新内容一覧データを取得手段により取得する取得ステップと、
上記更新内容一覧データを既存の表示内容に加えることにより更新した更新内容画面を更新内容画面生成手段により生成して表示手段に表示する更新内容画面生成ステップと、
上記更新内容画面の中から、ユーザによって選択された任意の上記更新内容紹介情報を選択対象として選択手段により決定する選択ステップと、
上記選択手段により上記選択対象が選択されたとき、当該選択対象の上記更新内容紹介情報に対応する位置情報を位置登録手段により所定の記憶手段に登録する位置登録ステップと
を具えることを特徴とする位置登録方法。
【発明の詳細な説明】
【技術分野】
【０００１】
本発明はナビゲーション装置及び位置登録方法に関し、例えばＰＮＤ（Personal Navigation Device）と呼ばれる携帯型のナビゲーション装置（以下、これをポータブルＮＶ装置と呼ぶ）に適用して好適なものである。
【背景技術】
【０００２】
従来、ポータブルＮＶ装置には、例えば、レストランや行楽施設といった、メーカ側が予め用意した位置情報としてのＰＯＩ（Point of Interest）が地図データに対応付けて内蔵メモリに登録されている。
【０００３】
このポータブルＮＶ装置は、例えば図１（Ａ）乃至（Ｄ）に示すように、当該ポータブルＮＶ装置のモニターに表示したメニュー画面Ｍ上において、ジャンル等の項目の選択用に分けられた選択アイコンＳ１の階層構造の最下位階層に、ＰＯＩに対応した位置情報アイコンＳ２を表示するようになされており、選択アイコンＳ１がユーザによって順に選択されることに応じて、例えば「レストラン」（図１（Ａ））→「イタリア料理」（図１（Ｂ））→「ＸＸＸＸ系列」（図１（Ｃ））→「□□□店」（図１（Ｄ））のように、階層構造の最下位階層にある位置情報アイコンＳ２を選択させ得るようになされている。
【０００４】
そしてポータブルＮＶ装置は、位置情報アイコンＳ２がユーザによって選択されると、図２に示すように、モニターに表示した地図画面Ｇ１上に、この位置情報アイコンＳ２（ＰＯＩ）に対応したランドマークＲを配置するようになされている。
【０００５】
ところが、この位置情報アイコンＳ２（ＰＯＩ）は、例えば年に１回程度の頻度で実施される地図データの更新時に合わせて更新される場合が多い。すなわち位置情報アイコンＳ２（ＰＯＩ）は、度々更新される訳ではないため、更新時から日数が経過して古い情報になりがちであり、ポータブルＮＶ装置は、ユーザに対し時節に応じたＰＯＩを提供し難いという問題があった。
【０００６】
ところで、パーソナルコンピュータにおいては、インターネット上のホームページに接続したとき、このホームページが更新される毎の見出しや要約などをＸＭＬ（Extensible Markup Language）形式で記述したメタデータであるＲＳＳ（Rich Site Summary）を取得し、専用のＲＳＳリーダーに登録することにより、常に最新のＲＳＳの内容をユーザに提示する技術が確立されている。そしてパーソナルコンピュータは、登録したＲＳＳに応じて、ホームページが更新される毎に最新の（すなわち時節に応じた）ＲＳＳを取得するようになされている（例えば特許文献１参照）。
【０００７】
従ってポータブルＮＶ装置においても、パーソナルコンピュータと同様に、インターネット上から時節に応じた情報（例えばＲＳＳ）を取得するようにすれば、このＲＳＳから新たなＰＯＩを登録することができ、ユーザに対し、時節に応じたＰＯＩを提供できることが期待される。
【特許文献１】特開２００６−２４４４３０公報
【発明の開示】
【発明が解決しようとする課題】
【０００８】
ところが、ポータブルＮＶ装置には、インターネット上のホームページを閲覧するためのブラウザはインストールされていないことが多く、ホームページからＲＳＳ等の情報を取得することが困難であるという問題があった。
【０００９】
また、ブラウザがインストールされているポータブルＮＶ装置であっても、当該ポータブルＮＶ装置にはタッチパネルや少数のボタンしか設けられていないため、ホームページからＲＳＳ等の情報を取得し、そのＲＳＳから位置情報を登録するのに住所等を入力させるといった煩わしい操作をユーザに強いることになり、ＰＯＩ（位置情報）を容易に登録できないという問題があった。
【００１０】
本発明は以上の点を考慮してなされたもので、位置情報を容易に登録し得るナビゲーション装置及び位置登録方法を提案しようとするものである。
【課題を解決するための手段】
【００１１】
かかる課題を解決するため本発明においては、ナビゲーション装置において、予め設定された所定のホームページにおける最新の更新内容を紹介する更新内容紹介情報を一覧表示するための更新内容一覧データが外部から与えられたときに、当該更新内容一覧データを取得し、更新内容一覧データを既存の表示内容に加えることにより更新した更新内容画面を生成して表示手段に表示して、この更新内容画面の中から、ユーザによって選択された任意の更新内容紹介情報を選択対象として決定し、当該選択対象の更新内容紹介情報に対応した位置情報を所定の記憶手段に登録するようにしたことにより、住所等を入力させるといった煩わしい操作をユーザに強いることなく、表示手段に表示された更新内容画面の中から任意の更新内容紹介情報をユーザに選択させるだけで位置情報を登録することができる。
【発明の効果】
【００１２】
本発明によれば、ナビゲーション装置において、予め設定された所定のホームページにおける最新の更新内容を紹介する更新内容紹介情報を一覧表示するための更新内容一覧データが外部から与えられたときに、当該更新内容一覧データを取得し、更新内容一覧データを既存の表示内容に加えることにより更新した更新内容画面を生成して表示手段に表示して、この更新内容画面の中から、ユーザによって選択された任意の更新内容紹介情報を選択対象として決定し、当該選択対象の更新内容紹介情報に対応した位置情報を所定の記憶手段に登録するようにしたことにより、住所等を入力させるといった煩わしい操作をユーザに強いることなく、表示手段に表示された更新内容画面の中から任意の更新内容紹介情報をユーザに選択させるだけで位置情報を登録することができ、かくして、位置情報を容易に登録し得るナビゲーション装置及び位置登録方法を実現することができる。
【発明を実施するための最良の形態】
【００１３】
以下、図面について、本発明の一実施の形態を詳述する。
【００１４】
（１）ポータブルＮＶ装置の外観構成
図３及び図４において、１は全体として携帯型で持ち運び可能であり主に車内で用いられるポータブルＮＶ装置を示し、その前面にモニター２が設けられており、内蔵メモリに記憶された地図データに基づく地図画面等をモニター２に対して表示し得るようになされている。
【００１５】
またポータブルＮＶ装置１には、モニター２の右側にＵＳＢ（Universal Serial Bus）コネクタ３が設けられており、図示しないＵＳＢケーブルを介してパーソナルコンピュータ１２と接続し得るようになされている。このパーソナルコンピュータ１２は、インターネットＮＴを介して配信サーバ１３から取得した種々の情報を内蔵メモリに記憶している。そしてポータブルＮＶ装置１は、ＵＳＢコネクタ３にＵＳＢケーブルが接続され、パーソナルコンピュータ１２に接続されたことを認識すると、ユーザ操作に応じ、このパーソナルコンピュータ１２の内蔵メモリに記憶されている種々の情報を取得するようになされている。
【００１６】
（２）ポータブルＮＶ装置への情報配信
ここで、配信サーバ１３は、ホームページが更新される毎の見出しや要約などをＸＭＬ（Extensible Markup Language）形式で記述したメタデータである最新のＲＳＳ（Rich Site Summary）を、予め設定された複数のホームページがそれぞれ更新される毎に取得するようになされている。
【００１７】
さらに配信サーバ１３は、このようにして取得する複数のＲＳＳそれぞれを、ユーザに対して紹介する紹介ＲＳＳとして設定し、これら複数の紹介ＲＳＳの一覧をまとめてユーザに薦めるためのオススメＲＳＳ一覧情報を、ＲＳＳと同じＸＭＬ形式で生成するようになされている。
【００１８】
そして配信サーバ１３は、予め設定された複数のホームページが更新される毎に、新たな紹介ＲＳＳを取得してオススメＲＳＳ一覧情報を生成し直して内蔵メモリに記憶することにより、常に最新のオススメＲＳＳ一覧情報を保持するようになされている。このオススメＲＳＳ一覧情報の詳細については後述する。
【００１９】
配信サーバ１３は、パーソナルコンピュータ１２から、オススメＲＳＳ一覧情報を要求するＲＳＳ要求信号を受け付けると、その時点で内蔵メモリに記憶してあるオススメＲＳＳ一覧情報（すなわち、最新のオススメＲＳＳ一覧情報）をパーソナルコンピュータ１２へ配信するようになされている。
【００２０】
パーソナルコンピュータ１２は、ポータブルＮＶ装置１と接続されて配信サーバ１３に対しＲＳＳ要求信号を送信した結果、この配信サーバ１３から返信されるオススメＲＳＳ一覧情報を受信する。そしてパーソナルコンピュータ１２は、オススメＲＳＳ一覧情報をポータブルＮＶ装置１に転送する。
【００２１】
ポータブルＮＶ装置１は、パーソナルコンピュータ１２を介して配信サーバ１３から転送されたオススメＲＳＳ一覧情報を受信すると、オススメＲＳＳ一覧情報に記述されている各紹介ＲＳＳを分析し、それぞれの紹介ＲＳＳに含まれるリンク先情報としての例えば、ＵＲＬ（Uniform Resource Locator）を検索する。
【００２２】
そしてポータブルＮＶ装置１は、パーソナルコンピュータ１２及びインターネットＮＴを介することにより、それぞれの紹介ＲＳＳから検出したＵＲＬに応じたリンク先へ接続し、それぞれの紹介ＲＳＳの基のホームページ上に公開された、例えば、文章に対応するテキストデータや写真に対応する写真データを含む情報（以下、これを紹介ＲＳＳ関連情報と呼ぶ）を取得する。
【００２３】
このようにしてポータブルＮＶ装置１は、オススメＲＳＳ一覧情報と、このオススメＲＳＳ一覧情報に記述されている各紹介ＲＳＳに対応した紹介ＲＳＳ関連情報とを取得するようになされている。
【００２４】
（３）ポータブルＮＶ装置の回路構成
図５に示すようにポータブルＮＶ装置１は、ＣＰＵ（Central Processing Unit）構成でなる制御部２０が全体を統括制御すると共に、不揮発性メモリ２１に格納された基本プログラムやアプリケーションプログラムを読み出してＲＡＭ（Random Access Memory）２２上で実行することにより、通常のナビゲーション機能及び後述する位置登録機能等を実現するようになされている。
【００２５】
このポータブルＮＶ装置１の不揮発性メモリ２１には、全国の地図データが記憶されている。また不揮発性メモリ２１には、メーカ独自フォーマットで形成されたＰＯＩ（Point of Interest）が、地図データが示す地図上の位置に対応付けて予め登録されている。
【００２６】
またポータブルＮＶ装置１のＧＰＳ（Global Positioning System）ユニット２３は、ＧＰＳ衛星からの電波を受信することにより、緯度、経度及び高度等からなるＧＰＳ情報を常に算出するようになされており、その結果得られたＧＰＳ情報を制御部２０へ送出する。
【００２７】
制御部２０は、ＧＰＳユニット２３から与えられるＧＰＳ情報と不揮発性メモリ２１に記憶されている地図データとを比較することにより、ポータブルＮＶ装置１の現在位置（すなわち、ポータブルＮＶ装置１が搭載された車が存在する自車位置）を含む所定範囲の地図を示す地図データを不揮発性メモリ２１から読み出し、その地図データに基づく地図画像をモニター２のＬＣＤ（Liquid Crystal Display）２４に表示するようになされている。
【００２８】
そして制御部２０は、モニター２のＬＣＤ２４の表面に設けられたタッチパネル２５に対するユーザ操作に応じ、目的地としてＰＯＩが任意に選択された場合（以下、このようにして選択されたＰＯＩを、目的地ＰＯＩと呼ぶ）、自車位置から、この目的地ＰＯＩに対応した目的地までの到達経路や到達予想時間等を算出し、これら到達経路や到達予想時間等を、ＬＣＤ２４に表示している地図画像上に配置するようになされている。
【００２９】
このとき制御部２０は、音声処理部２６を制御することにより、ユーザの運転する車が到達経路に従って目的地まで走行する間、車の運転を誘導及び補助（以下、これらをまとめてナビゲートと呼ぶ）するための音声情報を生成し、その音声情報に基づくナビゲート音声をスピーカ２７から出力する。
【００３０】
このようにしてポータブルＮＶ装置１は、ユーザ所望の目的地まで車をナビゲートするナビゲーション機能を提供し得るようになされている。
【００３１】
（４）位置登録機能
次に、ポータブルＮＶ装置１に対して、例えば、新規開店したレストラン、隠れた秘湯、花見に絶好な見晴らしの良い場所、といった新たなＰＯＩ（以下、これを新規ＰＯＩと呼ぶ）を登録するための位置登録機能について詳述する。
【００３２】
まずポータブルＮＶ装置１の制御部２０は、上述したように、パーソナルコンピュータ１２に接続されて、パーソナルコンピュータ１２からオススメＲＳＳ一覧情報が送信されると、これらオススメＲＳＳ一覧情報を受信すると共に、このオススメＲＳＳ一覧情報に記述されている紹介ＲＳＳそれぞれに対応した紹介ＲＳＳ関連情報をリンク先から取得する。
【００３３】
図６に示すように、オススメＲＳＳ一覧情報５０は、例えば、全体がＸＭＬ形式で記述され、オススメＲＳＳ一覧情報５０のタイトルが記述されたオススメＲＳＳタイトル部ＴＡと、オススメＲＳＳ一覧情報５０の内容が記述されたオススメＲＳＳ内容部ＣＡとから形成されている。そしてオススメＲＳＳ内容部ＣＡには、ユーザに紹介する複数の紹介ＲＳＳ６０、６１・・・が記述されている。
【００３４】
これら複数の紹介ＲＳＳ６０、６１・・・のそれぞれは、紹介ＲＳＳ６０、６１・・・それぞれのタイトルが記述された紹介ＲＳＳタイトル部ｔｂ、ｔｃ・・・と、紹介ＲＳＳ６０、６１・・・それぞれの内容が記述された紹介ＲＳＳ内容部ｃｂ、ｃｃ・・・とから形成されている。この紹介ＲＳＳ内容部ｃｂ、ｃｃ・・・には、紹介ＲＳＳ６０の内容がテキストで記述されていると共に、上述したＵＲＬが記述されている。
【００３５】
制御部２０は、オススメＲＳＳ一覧情報５０及び紹介ＲＳＳ関連情報を取得すると、これらオススメＲＳＳ一覧情報５０及び紹介ＲＳＳ関連情報を不揮発性メモリ２１に記憶する。そして制御部２０は、図７（Ａ）に示すように、不揮発性メモリ２１に予め登録されているＰＯＩをユーザに選択させるための複数の選択アイコンＩｃ１、Ｉｃ２、Ｉｃ３・・・に対し、オススメＲＳＳ一覧情報５０のオススメＲＳＳタイトル部ＴＡ（図６）に対応したオススメＲＳＳタイトルアイコンＴＡＩを追加したメニュー画面ＭＷを生成し、このメニュー画面ＭＷをモニター２のＬＣＤ２４に表示する。
【００３６】
制御部２０は、メニュー画面ＭＷの右側に対し、オススメＲＳＳタイトルアイコンＴＡＩ及び複数の選択アイコンＩｃ１、Ｉｃ２、Ｉｃ３・・・をスクロールして表示させるためのスクロールバーＳＢを表示するようになされている。
【００３７】
そして制御部２０は、メニュー画面ＭＷに入りきらないアイコン（この場合、オススメＲＳＳタイトルアイコンＴＡＩ及び複数の選択アイコンＩｃ１、Ｉｃ２、ＩＣ３・・・のいずれか）が存在する場合、ユーザに対し、タッチパネル２５を介してスクロールバーＳＢの上ボタンＵＢ及び下ボタンＬＢを操作させることにより、ユーザ所望のアイコンを含むメニュー画面ＭＷをＬＣＤ２４に表示し得るようになされている。
【００３８】
制御部２０は、ユーザによるモニター２のタッチパネル２５に対する操作の結果、メニュー画面ＭＷ上の例えばオススメＲＳＳタイトルアイコンＴＡＩが選択されると、不揮発性メモリ２１からオススメＲＳＳ一覧情報５０（図６）を読み出す。そして制御部２０は、図７（Ｂ）に示すように、オススメＲＳＳ一覧情報５０のオススメＲＳＳ内容部ＣＡに応じたオススメ紹介画面ＲＷを生成してモニター２のＬＣＤ２４に表示する。
【００３９】
具体的には、このとき制御部２０は、オススメＲＳＳ内容ＣＡ（図６）に含まれた紹介ＲＳＳ６０、６１・・・に対応した紹介ＲＳＳアイコン６０Ｉ、６１Ｉ・・・を含むオススメ紹介画面ＲＷをＬＣＤ２４に表示するようになされている。
【００４０】
そして制御部２０は、これら紹介ＲＳＳアイコン６０Ｉ、６１Ｉ・・・のうち、例えば紹介ＲＳＳアイコン６０Ｉの中に対し、紹介ＲＳＳ６０の紹介ＲＳＳタイトル部ｔｂに記述されているテキストを表示する。
【００４１】
また制御部２０は、紹介ＲＳＳ６０の紹介ＲＳＳ内容部ｃｂに記述されているＸＭＬ形式の文字列の中で、<description>と</description>とに挟まれた部分のテキスト（すなわち、紹介ＲＳＳ６０の概要）を右から左にスクロールすることで、このテキスト全体を順にスクロール表示する。
【００４２】
すなわち制御部２０は、オススメ紹介画面ＲＷ上に紹介ＲＳＳアイコン６０Ｉ、６１Ｉ・・・を表示することにより、紹介ＲＳＳ６０、６１・・・のタイトルや概要をユーザに提示するようになされている。
【００４３】
このようにして制御部２０は、ユーザによるタッチパネル２５に対する操作により、メニュー画面ＭＷ上の例えばオススメＲＳＳタイトルアイコンＴＡＩが選択されると、オススメＲＳＳ一覧情報５０のオススメＲＳＳ内容ＣＡ（図６）を分かり易く視覚化したオススメ紹介画面ＲＷ（図７（Ｂ））を生成し、このオススメ紹介画面ＲＷをＬＣＤ２４に表示することができる。
【００４４】
制御部２０は、ユーザによるタッチパネル２５に対する操作により、例えば、オススメ紹介画面ＲＷ（図７（Ｂ））上の例えば紹介ＲＳＳアイコン６１Ｉが選択されると、その紹介ＲＳＳアイコン６１Ｉに対応した紹介ＲＳＳ内容部ｃｃ（図６）に記述されているＸＭＬ形式の文字列の中からＵＲＬを検出し、このＵＲＬに対応する紹介ＲＳＳ関連情報を不揮発性メモリ２１から読み出す（すなわち、不揮発性メモリ２１に既にキャッシュされている紹介ＲＳＳ関連情報をＵＲＬに応じて読み出す）。
【００４５】
この紹介ＲＳＳ関連情報には、例えば、Google Map（Google社の登録商標）などのサービスにより取得されてテキストデータに記述された緯度経度情報や、写真データに付加された緯度経度情報としてｇｅｏ（Geostationary Earth Orbit）が含まれている。
【００４６】
従って制御部２０は、不揮発性メモリ２１から紹介ＲＳＳ関連情報を読み出すと、この紹介ＲＳＳ関連情報の中からｇｅｏを抽出する。
【００４７】
また制御部２０は、紹介ＲＳＳ関連情報からのｇｅｏの抽出に加えて、オススメＲＳＳ一覧情報５０の紹介ＲＳＳ内容部ｃｂ、ｃｃ・・・に記述されているＸＭＬ形式の文字列の<description>と</description>とに挟まれたテキスト部分から、例えば「〜ホテル」、「〜レストラン」、「〜屋」、「〜病院」、「〜海岸」、「〜公園」、「〜渓谷」、「〜遊園地」、「〜映画館」といったランドマークの名称（以下、これらをまとめてランドマーク名称と呼ぶ）を抽出するようになされている。
【００４８】
このようにして制御部２０は、ｇｅｏ及びランドマーク名称（この場合、一例として「×□ホテル」とする）を取得する。
【００４９】
そして制御部２０は、ｇｅｏとランドマーク名称とに基づいて、新たに登録するＰＯＩとして新規ＰＯＩを生成し、この新規ＰＯＩを不揮発性メモリ２１に記憶させることにより、当該新規ＰＯＩの登録を行う。
【００５０】
このようにしてポータブルＮＶ装置１は、ユーザのタッチパネル２５に対する操作により、ＬＣＤ２４に表示した画面上のアイコンを選択されるだけで、新規ＰＯＩを登録することができる。
【００５１】
次いで制御部２０は、図８に示すように、新たに登録した新規ＰＯＩが示す位置を含む所定範囲の地図データを不揮発性メモリ２１から読み出し、この地図データに基づく地図画面７０を生成してＬＣＤ２４に表示する。
【００５２】
そして制御部２０は、ＧＰＳユニット２３から与えられるＧＰＳ情報に応じて、自車位置に対応した自車位置アイコン７１を地図画面７０上に配置すると共に、新規ＰＯＩに応じたランドマーク７２ａとランドマーク名称７２ｂ（この場合「×□ホテル」）とを地図画面７０上に配置する。
【００５３】
このようにしてポータブルＮＶ装置１は、ユーザのタッチパネル２５に対する操作により、ＬＣＤ２４に表示した画面上のアイコンが選択されるだけで、ユーザの所望する目的地のランドマーク７２ａとランドマーク名称７２ｂとを地図画面７０上に配置してＬＣＤ２４に表示することができる。
【００５４】
（５）位置登録処理手順
次に、ポータブルＮＶ装置１の制御部２０が、上述のアプリケーションプログラムに基づいた位置登録機能を用いて、オススメＲＳＳ一覧情報５０を取得してから新規ＰＯＩを登録するまでの位置登録処理手順について、図９のフローチャートを用いて具体的に説明する。
【００５５】
実際上、ポータブルＮＶ装置１の制御部２０は、ルーチンＲＴ１の開始ステップから入ってステップＳＰ１へ移り、パーソナルコンピュータ１２と接続されたか否かを判別する。このステップＳＰ１において肯定結果が得られると、このことはパーソナルコンピュータ１２と接続されたことを表しており、このとき制御部２０は、次のステップＳＰ２へ移る。
【００５６】
これに対してステップＳＰ１において否定結果が得られると、このことは未だパーソナルコンピュータ１２と接続されていないことを表しており、このとき制御部２０は、パーソナルコンピュータ１２と接続されるまで待ち受ける。
【００５７】
ステップＳＰ２において制御部２０は、パーソナルコンピュータ１２からオススメＲＳＳ一覧情報５０と、このオススメＲＳＳ一覧情報に記述されている各紹介ＲＳＳ６０、６１・・・に対応した紹介ＲＳＳ関連情報とを取得して不揮発性メモリ２１に記憶し、次のステップＳＰ３へ移る。
【００５８】
ステップＳＰ３において制御部２０は、不揮発性メモリ２１に記憶したオススメＲＳＳ一覧情報５０と、不揮発性メモリ２１に予め登録されているＰＯＩとを合わせたメニュー画面ＭＷ（図７（Ａ））を生成し、このメニュー画面ＭＷをモニター２のＬＣＤ２４に表示し、次のステップＳＰ４へ移る。
【００５９】
ステップＳＰ４において制御部２０は、ユーザのタッチパネル２５に対する操作により、メニュー画面ＭＷ上のオススメＲＳＳタイトルアイコンＴＡＩ（すなわちオススメＲＳＳ一覧情報５０）が選択されたか否かを判別する。このステップＳＰ４において肯定結果が得られると、このことは、ユーザが新規ＰＯＩの登録を要望した結果としてオススメＲＳＳタイトルアイコンＴＡＩが選択されたことを表しており、このとき制御部２０は、次のステップＳＰ５へ移る。
【００６０】
これに対しステップＳＰ４において否定結果が得られると、このことは、オススメＲＳＳタイトルアイコンＴＡＩが未だ選択されていないことを表しており、このとき制御部２０は、オススメＲＳＳタイトルアイコンＴＡＩが選択されるまで待ち受ける。
【００６１】
ステップＳＰ５において制御部２０は、オススメＲＳＳ一覧情報５０のオススメＲＳＳ内容部ＣＡに応じてオススメ紹介画面ＲＷを生成してＬＣＤ２４に対して表示し（図７（Ｂ））、次のステップＳＰ６へ移る。
【００６２】
ステップＳＰ６において制御部２０は、ユーザのタッチパネル２５に対する操作により、オススメ紹介画面ＲＷ上の任意の紹介ＲＳＳアイコン６０Ｉ、６１Ｉ・・・のいずれかが選択されたか否かを判別する。このステップＳＰ６において肯定結果が得られると、このことは、紹介ＲＳＳアイコン６０Ｉ、６１Ｉ・・・の中の任意の１つが選択されたことを表しており、このとき制御部２０は、次のステップＳＰ７へ移る。
【００６３】
これに対しステップＳＰ６において否定結果が得られると、このことは、紹介ＲＳＳアイコン６０Ｉ、６１Ｉ・・・のいずれも未だ選択されていないことを表しており、このとき制御部２０は、紹介ＲＳＳアイコン６０Ｉ、６１Ｉ・・・のいずれかが選択されることを待ち受ける。
【００６４】
ステップＳＰ７において制御部２０は、ユーザによって選択された紹介ＲＳＳアイコン６０Ｉ、６１Ｉ・・・に対応した紹介ＲＳＳ関連情報の中からｇｅｏを抽出すると共に、ユーザによって選択された紹介ＲＳＳアイコン６０Ｉ、６１Ｉ・・・に対応した紹介ＲＳＳ内容部ｃｂ、ｃｃ・・・の中からランドマーク名称を抽出し、次のステップＳＰ８へ移る。
【００６５】
ステップＳＰ８において制御部２０は、ｇｅｏとランドマーク名称とから新規ＰＯＩを生成し、この新規ＰＯＩを不揮発性メモリ２１に記憶することにより当該新規ＰＯＩの登録を行い、次のステップＳＰ９へ移る。
【００６６】
ステップＳＰ９において制御部２０は、新たに登録した新規ＰＯＩに対応したランドマーク７２ａとランドマーク名称７２ｂとを地図画面７０上に配置し（図８）、次のステップＳＰ１０へ移って処理を終了する。
【００６７】
これによりポータブルＮＶ装置１の制御部２０は、ユーザのタッチパネル２５に対する操作により、ＬＣＤ２４に表示した画面上のアイコンが選択されるだけで、新規ＰＯＩを容易に登録することができる。
【００６８】
（６）動作及び効果
以上の構成においてポータブルＮＶ装置１の制御部２０は、メニュー画面ＭＷをＬＣＤ２４に表示した結果、ユーザのタッチパネル２５に対する操作によりメニュー画面ＭＷ上のオススメＲＳＳタイトルアイコンＴＡＩが選択された場合、オススメ紹介画面ＲＷをＬＣＤ２４に表示する。
【００６９】
そして制御部２０は、オススメ紹介画面ＲＷをＬＣＤ２４に表示した結果、ユーザのタッチパネル２５に対する操作によりオススメ紹介画面ＲＷの中で任意の紹介ＲＳＳアイコン６０Ｉ、６１Ｉ・・・のいずれかが選択された場合、それに対応した新規ＰＯＩを登録し、当該新規ＰＯＩに対応したランドマーク７２ａ及びランドマーク名称７２ｂを地図画面７０上に表示する。
【００７０】
このようにポータブルＮＶ装置１の制御部２０は、タッチパネル２５に対する２回の選択操作をユーザに促すだけで、ユーザ所望のＰＯＩを新規に登録し、このＰＯＩに対応したランドマーク７２ａ及びランドマーク名称７２ｂを地図画面７０上に表示してユーザに目視確認させることができる。
【００７１】
以上の構成によれば、ポータブルＮＶ装置１の制御部２０は、住所等を入力させるといった煩わしい操作をユーザに強いることなく、ユーザのタッチパネル２５に対する操作に応じ、メニュー画面ＭＷ上のオススメＲＳＳタイトルアイコンＴＡＩ及びオススメ紹介画面ＲＷ上の紹介ＲＳＳアイコン６０Ｉ、６１Ｉ・・・のいずれかが選択されることにより、新規ＰＯＩを登録することができ、かくして、新規ＰＯＩを容易に登録し得る。
【００７２】
（７）他の実施の形態
なお上述した実施の形態においては、ポータブルＮＶ装置１の制御部２０は、配信サーバ１３から一方的に配信されるオススメＲＳＳ一覧情報５０を受け取り、このオススメＲＳＳ一覧情報５０の内容も選択できるようにメニュー画面ＭＷを生成するようにした場合について述べたが、本発明はこれに限らず、ユーザの所望する独自のＲＳＳ（以下、これをお気に入りＲＳＳと呼ぶ）をカスタマイズして配信サーバ１３に配信させるようにして、このお気に入りＲＳＳの内容も選択できるようにメニュー画面ＭＷを生成するようにしても良い。具体的な方法を以下に示す。
【００７３】
ポータブルＮＶ装置１の不揮発性メモリ２１には、ユーザに対して所望のジャンルを選択させるための複数のジャンル名が、例えば階層的なツリー構造で検索できるように予め記憶されている。
【００７４】
制御部２０は、例えばユーザのタッチパネル２５に対する操作により所望のジャンルが選択されると、選択されたジャンルのＲＳＳの配信を要求するジャンル配信要求情報を生成して不揮発性メモリ２１に記憶する。そして制御部２０は、パーソナルコンピュータ１２と接続されたときに、不揮発性メモリ２１からジャンル配信要求情報を読み出してパーソナルコンピュータ１２に転送する。
【００７５】
パーソナルコンピュータ１２は、ポータブルＮＶ装置１から送信されたジャンル配信要求情報を受信すると、このジャンル配信要求情報を上述したＲＳＳ要求信号と共に配信サーバ１３に送信する。
【００７６】
配信サーバ１３は、パーソナルコンピュータ１２からＲＳＳ要求信号及びジャンル配信要求情報が送信されると、ＲＳＳ要求信号に応じて上述したように最新のオススメＲＳＳ一覧情報５０をパーソナルコンピュータ１２に転送すると共に、ジャンル配信要求情報に応じて所定の識別子を発行する。そして配信サーバ１３は、この識別子に対応付けるようにして、ジャンル配信要求情報が示すジャンルのホームページからお気に入りＲＳＳを取得してユーザの所望するジャンルのお気に入りＲＳＳ一覧情報を生成するように登録する。これにより配信サーバ１３は、識別子毎（すなわちユーザ毎）のお気に入りＲＳＳ一覧情報を常に更新して自己に記憶するようになされている。
【００７７】
配信サーバ１３は、このようにして発行した識別子と、この識別子に対応したお気に入りＲＳＳ一覧情報とをインターネットＮＴを介してパーソナルコンピュータ１２に配信する。
【００７８】
パーソナルコンピュータ１２は、配信サーバ１３から返信されるオススメＲＳＳ一覧情報５０、識別子及びお気に入りＲＳＳ一覧情報を受信して、ポータブルＮＶ装置１に転送する。
【００７９】
ポータブルＮＶ装置１の制御部２０は、パーソナルコンピュータ１２にジャンル配信要求情報を送信した結果、このパーソナルコンピュータ１２から返信されるオススメＲＳＳ一覧情報５０、識別子及びお気に入りＲＳＳ一覧情報を受信する。
【００８０】
そして制御部２０は、上述したように、オススメＲＳＳ一覧情報５０に記述されている各紹介ＲＳＳを分析し、それぞれの紹介ＲＳＳに含まれるＵＲＬに応じたリンク先から紹介ＲＳＳ関連情報を取得する。また制御部２０は、お気に入りＲＳＳ一覧情報に記述されている各お気に入りＲＳＳを分析し、それぞれのお気に入りＲＳＳに含まれるＵＲＬに応じたリンク先から、このお気に入りＲＳＳの基のホームページ上に公開された、例えば、文章に対応するテキストデータや写真に対応する写真データを含む情報（以下、これをお気に入りＲＳＳ関連情報と呼ぶ）を取得する。
【００８１】
このようにして制御部２０は、オススメＲＳＳ一覧情報５０、識別子、お気に入りＲＳＳ一覧情報、紹介ＲＳＳ関連情報及びお気に入りＲＳＳ関連情報を取得して不揮発性メモリ２１に記憶する。
【００８２】
そして制御部２０は、図１０（Ａ）に示すように、不揮発性メモリ２１に予め登録されているＰＯＩをユーザに選択させるための複数の選択アイコンＩｃ１、Ｉｃ２・・・に、オススメＲＳＳ一覧情報５０のオススメＲＳＳタイトル部ＴＡ（図６）に対応したオススメＲＳＳタイトルアイコンＴＡＩと、お気に入りＲＳＳ一覧情報のタイトル（ここでは一例として「○×□のお気に入り」であるとし、以下これをお気に入りＲＳＳタイトルと呼ぶ）に対応したお気に入りＲＳＳタイトルアイコンＴＸＩとを追加したメニュー画面ＭＷを生成し、このメニュー画面ＭＷをモニター２のＬＣＤ２４に表示する。
【００８３】
制御部２０は、ユーザのタッチパネル２５に対する操作の結果、例えばメニュー画面ＭＷ上のお気に入りＲＳＳタイトルアイコンＴＸＩが選択されると、お気に入りＲＳＳ一覧情報を不揮発性メモリ２１から読み出す。そして制御部２０は、図１０（Ｂ）に示すように、お気に入りＲＳＳ一覧情報の内容に基づくお気に入り紹介画面ＫＷを生成してＬＣＤ２４に表示する。このお気に入り紹介画面ＫＷ上のお気に入りＲＳＳアイコン８０Ｉ、８１Ｉ・・・は、上述したオススメ紹介画面ＲＷ上の紹介ＲＳＳアイコン６０Ｉ、６１Ｉ・・・と同様であり、制御部２０は、タッチパネル２５に対する選択操作だけで、紹介ＲＳＳアイコン６０Ｉ、６１Ｉ・・・のそれぞれに対応したお気に入りＲＳＳ関連情報に基づく所望の新規ＰＯＩを登録することができる。
【００８４】
また制御部２０は、次回以降にお気に入りＲＳＳを配信サーバ１３から取得する場合、パーソナルコンピュータ１２を介して、不揮発性メモリ２１に記憶した識別子を配信サーバ１３に送信することにより、ユーザ毎のお気に入りＲＳＳ一覧情報を取得することができる。
【００８５】
このようにしてポータブルＮＶ装置１は、オススメＲＳＳ一覧情報５０だけでなく、お気に入りＲＳＳ一覧情報をも取得して、これらをメニュー画面ＭＷ、オススメ紹介画面ＲＷ及びお気に入り紹介画面ＫＷでユーザに表示することができ、上述した実施の形態と同様に、ユーザによるタッチパネル２５への選択操作により、ＬＣＤ２４に表示した画面上のアイコンを選択操作されるだけで、新規ＰＯＩを登録することができる。
【００８６】
また上述した実施の形態においては、ポータブルＮＶ装置１は、新規ＰＯＩの登録用に配信サーバ１３からＲＳＳを取得するようにした場合について述べたが、本発明はこれに限らず、ＡｔｏｍやＫＭＬ（Keyhole Markup Language）等の他の形式の情報を取得するようにしても良い。
【００８７】
さらに上述した実施の形態においては、ポータブルＮＶ装置１は、地図データやＰＯＩの記憶用に不揮発性メモリ２１を適用するようにした場合について述べたが、本発明はこれに限らず、ハードディスクドライブや光ディスクを用いるようにしても良い。
【００８８】
さらに上述した実施の形態においては、ポータブルＮＶ装置１は、ＵＳＢケーブルを介してパーソナルコンピュータ１２と接続して配信サーバ１３から情報を取得するようにした場合について述べたが、本発明はこれに限らず、ポータブルＮＶ装置１とパーソナルコンピュータ１２とを無線ＬＡＮ（Local Area Network）や有線ＬＡＮ、Ｂｌｕｅｔｏｏｔｈ（The Bluetooth SIG Inc.の登録商標）で接続するようにしても良く、配信サーバ１３から情報を取得する方法は何でも良い。
【００８９】
さらに、無線ＬＡＮやＢｌｕｅｔｏｏｔｈを用いる場合、ポータブルＮＶ装置１は、パーキングエリア等のアクセスポイントに直接接続するようにしても良く、そうすることにより、外出先で新たなオススメＲＳＳ一覧情報５０を取得することができ、使い勝手を向上することができる。
【００９０】
さらに上述した実施の形態においては、ポータブルＮＶ装置１は、オススメ紹介画面ＲＷでの選択操作に応じて新規ＰＯＩを登録するようにした場合について述べたが、本発明はこれに限らず、この新規ＰＯＩを、不揮発性メモリ２１に予め記憶されている既存のＰＯＩと共に検索できるように自動で設定するようにしても良い。そうすることにより、制御部２０は、オススメＲＳＳ一覧情報５０が更新された場合でも、一度登録した新規ＰＯＩを、既存のＰＯＩと同じようにユーザに選択させることができ、その分だけポータブルＮＶ装置１の使い勝手を向上することができる。
【００９１】
さらに上述した実施の形態においては、ポータブルＮＶ装置１は、オススメＲＳＳ一覧情報５０に記述される複数の紹介ＲＳＳを一覧表示する紹介ＲＳＳ画面ＲＷを生成するようにした場合について述べたが、本発明はこれに限らず、オススメのジャンルで細かく分類してツリー構造でユーザに紹介する紹介ＲＳＳ画面を生成するようにしても良い。この場合も制御部２０は、上述と同様に、タッチパネル２５に対する選択操作だけで新規ＰＯＩを登録することができ、位置情報を容易に登録することができる。
【００９２】
さらに上述した実施の形態においては、ポータブルＮＶ装置１は、紹介ＲＳＳ内容部ｃｂ、ｃｃ・・・に記述されているＸＭＬ形式の文字列の<description>と</description>とに挟まれた部分からランドマーク名称を抽出するようにした場合について述べたが、本発明はこれに限らず、紹介ＲＳＳ内容部ｃｂ、ｃｃ・・・に記述されているＸＭＬ形式の文字列の<title>と</title>とに挟まれた部分をそのままランドマーク名称として抽出するようにしても良い。
【００９３】
またこの場合、ポータブルＮＶ装置１は、紹介ＲＳＳ関連情報の中からランドマーク名称を抽出するようにしても良い。さらにこの場合、ポータブルＮＶ装置１は、紹介ＲＳＳ６０、６１・・・の紹介ＲＳＳ内容部ｃｂ、ｃｃ・・・の中に、抽出すべきランドマーク名称が無い場合には、ランドマーク名称を読み出さなくても良い。その場合、制御部２０は、新規ＰＯＩに対応したランドマーク７２ａ（図８）のみを地図画面７０上に表示するようにすれば良い。
【００９４】
さらに上述した実施の形態においては、ポータブルＮＶ装置１は、紹介ＲＳＳ関連情報の中からｇｅｏを抽出するようにした場合について述べたが、本発明はこれに限らず、紹介ＲＳＳ６０、６１・・・の中にｇｅｏが含まれている場合には、この紹介ＲＳＳ６０、６１・・・の中からｇｅｏを抽出するようにしても良い。またこの場合、ポータブルＮＶ装置１が抽出するのはｇｅｏだけに限らず、住所情報等であっても良い。
【００９５】
さらに上述した実施の形態においては、ポータブルＮＶ装置１は、リンク先情報としてＵＲＬを紹介ＲＳＳ６０、６１・・・から抽出するようにした場合について述べたが、本発明はこれに限らず、ＩＰ（Internet Protocol）アドレス等であっても良い。
【００９６】
さらに上述した実施の形態においては、ナビゲーション装置として、図３乃至図１０において上述した、携帯型のポータブルＮＶ装置１（ＰＮＤ）を適用するようにした場合について述べたが、本発明はこれに限らず、据え置き型のカーＮＶ装置や携帯型ゲーム装置、携帯電話等を適用しても良い。
【００９７】
さらに上述した実施の形態においては、予め設定された所定のホームページにおける最新の更新内容を紹介する更新内容紹介情報（すなわち紹介ＲＳＳ）を一覧表示するための更新内容一覧データ（すなわちオススメＲＳＳ一覧情報５０）が外部から与えられたときに、当該更新内容一覧データを取得する取得手段として、図３乃至図１０において上述した、ＵＳＢコネクタ３を適用するようにした場合について述べたが、本発明はこれに限らず、他の半導体メモリやハードディスクドライブを接続するコネクタを適用しても良いし、光ディスクを装填する光ディスクドライブを適用しても良いし、ポータブルＮＶ装置１とパーソナルコンピュータ１２または配信サーバ１３とを接続する有線ＬＡＮ（Local Area Network）モジュールや無線ＬＡＮモジュールを適用しても良い。
【００９８】
さらに上述した実施の形態においては、更新内容一覧データを既存の表示内容に加えることにより更新した更新内容画面を生成して表示手段に表示する更新内容画面生成手段として、図３乃至図１０において上述した、制御部２０を適用するようにした場合について述べたが、本発明はこれに限らず、更新内容一覧データを既存の表示内容に加えることにより更新した更新内容画面を生成して表示手段に表示するハードウェア構成の更新内容画面生成回路や表示手段と一体の制御部等のように、この他種々の更新内容画面生成手段を適用するようにしても良い。
【００９９】
さらに上述した実施の形態においては、表示手段として、図３乃至図１０において上述した、モニター２のＬＣＤ２４を適用するようにした場合について述べたが、本発明はこれに限らず、ブラウン管ディスプレイやプラズマディスプレイ等を適用しても良い。
【０１００】
さらに上述した実施の形態においては、更新内容画面の中から、ユーザによって選択された任意の更新内容紹介情報を選択対象として決定する選択手段として、図３乃至図１０において上述した、モニター２のタッチパネル２５を適用するようにした場合について述べたが、本発明はこれに限らず、トラックボールやマウス、レバー、ボタン等を適用しても良い。
【０１０１】
さらに上述した実施の形態においては、選択手段により選択対象が選択されたとき、当該選択対象の更新内容紹介情報に対応した位置情報を所定の記憶手段に登録する位置登録手段として、図３乃至図１０において上述した、制御部２０を適用するようにした場合について述べたが、本発明はこれに限らず、選択手段により選択対象が選択されたとき、当該選択対象の更新内容紹介情報に対応した位置情報を所定の記憶手段に登録するハードウェア構成の位置登録回路等のように、この他種々の位置登録手段を適用するようにしても良い。
【０１０２】
さらに上述の実施の形態においては、ポータブルＮＶ装置１が不揮発性メモリ２１に記憶されている処理プログラムを起動することにより、ユーザからのタッチパネル２５への操作入力に応じて、オススメＲＳＳ一覧情報５０から新規ＰＯＩを登録するようにした場合について述べたが、本発明はこれに限らず、記録媒体からインストールした処理プログラムや、インターネットからダウンロードした処理プログラムに従い、ユーザからのタッチパネル２５への操作入力に応じて、オススメＲＳＳ一覧情報５０から新規ＰＯＩを登録するようにしても良い。
【産業上の利用可能性】
【０１０３】
本発明のナビゲーション装置及び位置登録方法は、例えば車載用のポータブルＮＶ装置に対して新規のＰＯＩを登録する用途に適用することができる。
【図面の簡単な説明】
【０１０４】
【図１】従来のポータブルＮＶ装置におけるＰＯＩの選択の様子を示す略線図である。
【図２】従来のポータブルＮＶ装置における地図画面の表示の様子を示す略線図である。
【図３】本実施の形態におけるポータブルＮＶ装置の外観構成を示す略線図である。
【図４】ポータブルＮＶ装置への情報の転送の様子を示す略線図である。
【図５】本実施の形態におけるポータブルＮＶ装置の回路構成を示す略線図である。
【図６】オススメＲＳＳ一覧情報の構成を示す略線図である。
【図７】新規ＰＯＩの登録の様子を示す略線図である。
【図８】ランドマークの表示の様子を示す略線図である。
【図９】位置登録処理手順を示すフローチャートである。
【図１０】他の実施の形態における新規ＰＯＩの登録の様子を示す略線図である。
【符号の説明】
【０１０５】
１……ポータブルＮＶ装置、２……モニター、３……ＵＳＢコネクタ、１２……パーソナルコンピュータ、１３……配信サーバ、２０……制御部、２１……不揮発性メモリ、２２……ＲＡＭ、２３……ＧＰＳユニット、２４……ＬＣＤ、２５……タッチパネル、２６……音声処理部、２７……スピーカ、５０……オススメＲＳＳ一覧情報、６０、６１……紹介ＲＳＳ、６０Ｉ、６１Ｉ……紹介ＲＳＳアイコン、７０……地図画面、７１……自車位置、７２ａ……ランドマーク、７２ｂ……ランドマーク名称、ＣＡ……オススメＲＳＳ一覧情報内容、ｃｂ、ｃｃ、ｃｄ……紹介ＲＳＳ内容、Ｉｃ１、Ｉｃ２、Ｉｃ３……選択アイコン、ＭＷ……メニュー画面、ＲＷ……オススメ紹介画面、ＴＡ……オススメＲＳＳ一覧情報タイトル、ｔｂ、ｔｃ……紹介ＲＳＳタイトル。
【図１】
2008281445.tif 000003
【図２】
2008281445.tif 000004
【図３】
2008281445.tif 000005
【図４】
2008281445.tif 000006
【図５】
2008281445.tif 000007
【図６】
2008281445.tif 000008
【図７】
2008281445.tif 000009
【図８】
2008281445.tif 000010
【図９】
2008281445.tif 000011
【図１０】
2008281445.tif 000012